【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】
読取対象物をその一側に載置する透明な載置台と、
上記載置台の一側に載置された上記読取対象物をカバーするように上記載置台の一側に対して開閉可能に設けられたカバー手段と、
上記載置台の他側に対向して設けられ、該載置台を介してその一側に載置された読取対象物を照明してその反射光を受光し、該読取対象物のサイズを検知するサイズ検知手段と、
上記読取対象物が上記載置台の一側に載置されていないとき、上記サイズ検知手段を利用して上記載置台を介して上記カバー手段を照明してその反射光を受光し、上記カバー手段が上記載置台の一側に対して閉塞される閉塞位置と上記カバー手段が上記載置台の一側に対して開放される開放位置との間の途中位置に配置されたことを検知するカバー検知手段と、
上記載置台の一側に載置され且つ上記カバー手段にてカバーされた読取対象物に記録されている画像情報を読取る読取手段と、
上記読取手段にて読取られた画像情報に基づくレーザ光を射出する光源と、
上記光源から射出されたレーザ光を、第１の速度で回転するポリゴンミラーを介して偏向させて像担持体を露光走査することにより該像担持体上に静電潜像を形成する露光手段と、
上記ポリゴンミラーを上記第１の速度で回転させるとともに、画像形成動作の待機中において上記ポリゴンミラーを上記第１の速度より遅い第２の速度で回転させる回転手段と、
上記露光手段にて像担持体上に形成された静電潜像に現像剤を供給して現像する現像手段と、
上記現像手段にて現像された現像剤像を被転写媒体に転写する転写手段と、
上記転写手段にて被転写媒体上に転写された現像剤像を該被転写媒体上に定着させる定着手段と、
画像形成動作の待機中において上記ポリゴンミラーが上記第２の速度で回転されている状態で、上記カバー検知手段にて上記カバー手段が上記途中位置に配置されたことが検知されたとき、上記ポリゴンミラーの回転速度を上記第１の速度まで加速させるように上記回転手段を制御する制御手段と、
を備えていることを特徴とする画像形成装置。
【請求項２】
読取対象物をその一側に載置する透明な載置台と、
上記載置台の一側に載置された上記読取対象物をカバーするように上記載置台の一側に対して開閉可能に設けられたカバー手段と、
上記載置台の他側に対向して設けられ、該載置台を介してその一側に載置された読取対象物を照明してその反射光を受光し、該読取対象物のサイズを検知する第１および第２のサイズ検知手段と、
上記読取対象物が上記載置台の一側に載置されていないとき、上記第１のサイズ検知手段にて上記載置台を介して上記カバー手段を照明し、上記第２のサイズ検知手段にてその反射光を受光し、上記カバー手段が上記載置台の一側に対して閉塞される閉塞位置と上記カバー手段が上記載置台の一側に対して開放される開放位置との間の途中位置に配置されたことを検知するカバー検知手段と、
上記載置台の一側に載置され且つ上記カバー手段にてカバーされた読取対象物に記録されている画像情報を読取る読取手段と、
上記読取手段にて読取られた画像情報に基づくレーザ光を射出する光源と、
上記光源から射出されたレーザ光を、第１の速度で回転するポリゴンミラーを介して偏向させて像担持体を露光走査することにより該像担持体上に静電潜像を形成する露光手段と、
上記ポリゴンミラーを上記第１の速度で回転させるとともに、画像形成動作の待機中において上記ポリゴンミラーを上記第１の速度より遅い第２の速度で回転させる回転手段と、
上記露光手段にて像担持体上に形成された静電潜像に現像剤を供給して現像する現像手段と、
上記現像手段にて現像された現像剤像を被転写媒体に転写する転写手段と、
上記転写手段にて被転写媒体上に転写された現像剤像を該被転写媒体上に定着させる定着手段と、
画像形成動作の待機中において上記ポリゴンミラーが上記第２の速度で回転されている状態で、上記カバー検知手段にて上記カバー手段が上記途中位置に配置されたことが検知されたとき、上記ポリゴンミラーの回転速度を上記第１の速度まで加速させるように上記回転手段を制御する制御手段と、
を備えていることを特徴とする画像形成装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
【課題を解決するための手段】
上記目的を達成するため、本発明の画像形成装置は、読取対象物をその一側に載置する透明な載置台と、上記載置台の一側に載置された上記読取対象物をカバーするように上記載置台の一側に対して開閉可能に設けられたカバー手段と、上記載置台の他側に対向して設けられ、該載置台を介してその一側に載置された読取対象物を照明してその反射光を受光し、該読取対象物のサイズを検知するサイズ検知手段と、上記読取対象物が上記載置台の一側に載置されていないとき、上記サイズ検知手段を利用して上記載置台を介して上記カバー手段を照明してその反射光を受光し、上記カバー手段が上記載置台の一側に対して閉塞される閉塞位置と上記カバー手段が上記載置台の一側に対して開放される開放位置との間の途中位置に配置されたことを検知するカバー検知手段と、上記載置台の一側に載置され且つ上記カバー手段にてカバーされた読取対象物に記録されている画像情報を読取る読取手段と、上記読取手段にて読取られた画像情報に基づくレーザ光を射出する光源と、上記光源から射出されたレーザ光を、第１の速度で回転するポリゴンミラーを介して偏向させて像担持体を露光走査することにより該像担持体上に静電潜像を形成する露光手段と、上記ポリゴンミラーを上記第１の速度で回転させるとともに、画像形成動作の待機中において上記ポリゴンミラーを上記第１の速度より遅い第２の速度で回転させる回転手段と、上記露光手段にて像担持体上に形成された静電潜像に現像剤を供給して現像する現像手段と、上記現像手段にて現像された現像剤像を被転写媒体に転写する転写手段と、上記転写手段にて被転写媒体上に転写された現像剤像を該被転写媒体上に定着させる定着手段と、画像形成動作の待機中において上記ポリゴンミラーが上記第２の速度で回転されている状態で、上記カバー検知手段にて上記カバー手段が上記途中位置に配置されたことが検知されたとき、上記ポリゴンミラーの回転速度を上記第１の速度まで加速させるように上記回転手段を制御する制御手段と、を備えている。
【手続補正５】
【補正対象書類名】明細書
【補正対象項目名】００１３
【補正方法】変更
【補正の内容】
【００１３】
また、本発明の画像形成装置は、読取対象物をその一側に載置する透明な載置台と、上記載置台の一側に載置された上記読取対象物をカバーするように上記載置台の一側に対して開閉可能に設けられたカバー手段と、上記載置台の他側に対向して設けられ、該載置台を介してその一側に載置された読取対象物を照明してその反射光を受光し、該読取対象物のサイズを検知する第１および第２のサイズ検知手段と、上記読取対象物が上記載置台の一側に載置されていないとき、上記第１のサイズ検知手段にて上記載置台を介して上記カバー手段を照明し、上記第２のサイズ検知手段にてその反射光を受光し、上記カバー手段が上記載置台の一側に対して閉塞される閉塞位置と上記カバー手段が上記載置台の一側に対して開放される開放位置との間の途中位置に配置されたことを検知するカバー検知手段と、上記載置台の一側に載置され且つ上記カバー手段にてカバーされた読取対象物に記録されている画像情報を読取る読取手段と、上記読取手段にて読取られた画像情報に基づくレーザ光を射出する光源と、上記光源から射出されたレーザ光を、第１の速度で回転するポリゴンミラーを介して偏向させて像担持体を露光走査することにより該像担持体上に静電潜像を形成する露光手段と、上記ポリゴンミラーを上記第１の速度で回転させるとともに、画像形成動作の待機中において上記ポリゴンミラーを上記第１の速度より遅い第２の速度で回転させる回転手段と、上記露光手段にて像担持体上に形成された静電潜像に現像剤を供給して現像する現像手段と、上記現像手段にて現像された現像剤像を被転写媒体に転写する転写手段と、上記転写手段にて被転写媒体上に転写された現像剤像を該被転写媒体上に定着させる定着手段と、画像形成動作の待機中において上記ポリゴンミラーが上記第２の速度で回転されている状態で、上記カバー検知手段にて上記カバー手段が上記途中位置に配置されたことが検知されたとき、上記ポリゴンミラーの回転速度を上記第１の速度まで加速させるように上記回転手段を制御する制御手段と、を備えている。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】